(57)【特許請求の範囲】
【請求項１】
ねじ手段により互いに締結軸線に沿って締め付け可能にした、脚状の第１把持部材および第２把持部材を有し、支持体に格子を固定するための固定素子において、
前記第１把持部材および第２把持部材のうち一方の把持部材に、他方の把持部材に指向する細長の案内素子を設け、この案内素子は前記締結軸線から離れた位置で、前記他方の把持部材に設けた貫通案内口内で移動可能に案内され、
前記他方の把持部材は、前記締結軸線の位置を基準にして、前記貫通案内口とは反対側の端部領域で前記支持体に掛合することを特徴とする、格子固定素子。
【請求項２】
前記細長の案内素子を、前記第２把持部材と一体に構成した請求項１記載の格子固定素子。
【請求項３】
前記細長の案内素子を有する前記第２把持部材を、板金から打ち抜き曲げ加工した部材として構成した請求項１または２記載の格子固定素子。
【請求項４】
前記細長の案内素子の前記第２把持部材とは反対側の端部に、前記貫通案内口の前記第２把持部材とは反対側の側面部分に対するストッパとして構成した少なくとも１個の張り出し部を設けた請求項１〜３のうちいずれか１項記載の格子固定素子。
【請求項５】
前記細長の案内素子を、少なくとも部分的に１つのU字型横断面を有する形状とした請求項１〜４のうちいずれか１項記載の格子固定素子。
【請求項６】
前記貫通案内口に、前記細長の案内素子のための少なくとも１個の導入素子を設けた請求項１〜５のうちいずれか１項記載の格子固定素子。
【請求項７】
前記貫通案内口を有する前記第１把持部材を、前記細長の案内素子の長手方向軸線および前記第１把持部材の脚状の長手方向軸線で画定される平面上で、前記細長の案内素子の長手方向軸線に対し直交する位置に対して、−１５゜〜＋１０゜の範囲の角度にわたり回動可能とした請求項６記載の格子固定素子。
【請求項８】
前記第２把持部材に、前記ねじ手段のための受け台で取り込まれた貫通孔を設け、また、
前記脚状の第１把持部材には、前記ねじ手段の雄ねじ部に対応する雌ねじ部と、前記固定素子を支持体に固定するための、前記第２把持部材に指向する向きで突出する少なくとも１個の固持手段とを設けた請求項１〜７のうちいずれか１項記載の格子固定素子。
【発明の詳細な説明】
【技術分野】
【０００１】
本発明は、格子体のような格子のための、請求項１の前半に記載した、すなわち、ねじ手段により互いに締結軸線に沿って締め付け可能にした、脚状の第１把持部材および第２把持部材を有し、支持体に格子を固定するための格子固定素子に関するものである。
【背景技術】
【０００２】
特許文献１には、複数の部材からなる格子体のための固定素子が記載されている。この固定素子は、支持体に掛合する基本部材、格子板を把持するサドル形クリップ、およびこれら双方を連結するためのねじを備える。基本部材の片方の終端部には、軸線の周りに回転可能な回転クリップを設け、この回転クリップを、ばね素子により、回転方向に弾性的に圧着させる。基本部材の回転クリップ側とは反対側の端部を支持体に当接するとき、この回転クリップを格子の下面に当接可能とする。サドル形のクリップを格子の上面に当接し、このサドル形のクリップを基本部材に対してねじにより締結する。
【特許文献１】米国特許第４３６２４２２号明細書
【０００３】
この既知の格子固定素子の欠点は、実用性が低く、組み立てコストがかかる点にある。
【発明の開示】
【発明が解決しようとする課題】
【０００４】
したがって、本発明の課題は、上述の欠点を回避し、組み立て簡単な格子固定素子を提供することにある。
【課題を解決するための手段】
【０００５】
この課題は、請求項１に記載する本発明格子固定素子により達成される。本発明によれば、一方の把持部材に、他方の把持部材に指向する細長の案内素子を設ける。この案内素子は、ねじ手段が画定する締結軸線から離れたところで、他方の把持部材に設けた貫通案内口内で移動可能に案内する。好適には、紛失を防ぐため、双方の把持部材は互いに近接させて設ける。この構成により、固定素子は１回の作業で組み立てることができ、様々な高さもしくは強度の格子体に柔軟に適用可能となる。
【発明を実施するための最良の形態】
【０００６】
案内素子は、第２把持部材と一体に構成すると、生産技術的に有利である。
好適には、第２把持部材を有する案内素子を、板金から打ち抜き曲げ加工した部材として構成することで、生産コストを抑えることができる。
【０００７】
さらに好適には、細長の案内素子の第2把持部材とは反対側の端部に、前記貫通案内口の前記第2把持部材とは反対側の側面部分に対するストッパとして構成した少なくとも１つの張り出し部を設ける。これにより、細長の案内素子は、低コストで、紛失しにくく、かつ第１把持部材に貫通案内口内で移動可能に設けることができる構成となる。
【０００８】
好適には、細長の案内素子を、少なくとも部分的に１つのU字型横断面を有する形状とする。この構成により、細長の案内素子の強度は高いものとなり、貫通案内口内で案内しやすくなる。
【０００９】
好適には、前記貫通案内口に、前記縦長の案内素子のための少なくとも１個の導入素子を設ける。好適にはこの導入素子は、１個もしくは複数個の案内面を構成し、貫通案内口内における細長の案内素子の案内をより良くする。
【００１０】
さらに好適には、細長の案内素子の長手方向軸線および第１把持部材の脚状の長手方向軸線で画定される平面上で、貫通案内口を有する第１把持部材を、細長の案内素子の長手方向軸線に直交する位置に対して、−１５゜〜＋１０゜の範囲の角度にわたり回動可能とする。この構成により、様々な厚さの支持体もしくは下部構造に、格子を簡単に組み付けることができる。
【００１１】
さらに好適には、第2把持部材に、ねじ手段のための迫台を有する貫通孔を設け、脚状の第１把持部材には、ねじ手段の雄ねじ部に対応する雌ねじ部と、固定素子を支持体に固定するための、第２把持部材に指向する向きで突出する少なくとも１個の固持手段とを設ける。この構成により、固定素子を、ねじ手段によって、格子体および支持体に高い把持力で固定することができる。
【実施例】
【００１２】
以下、図面につき本発明の好適な実施例を説明する。
図１〜３には、格子５０もしくは格子体を、例えば、下部構造における支持体４０などに固定するための本発明固定素子１０の実施例を示す。この固定素子１０は複数個の部材により構成し、ほぼU字形の形状にする。固定素子１０には、支持体４０に掛合する脚状の第１把持部材１１と、格子５０に掛合する第２把持部材１２もしくは保持部材とを設け、これら双方の把持部材１１，１２を、これら把持部材を互いに連結する細長の案内素子１３から同一側面の方向に突出させる。
【００１３】
この細長の案内素子１３は、第２把持部材１２に強固に連結し、特にはこれと一体に構成する。この場合、細長の案内素子１３と第２把持部材１２とからなる構成ユニットは、例えば板金から打ち抜き曲げ加工した部材として形成する。
【００１４】
第１把持部材には、細長の案内素子１３のための貫通案内口２０を設け、細長の案内素子１３を、この貫通案内口２０内で、案内素子の長手方向軸線Lの方向に摺動可能に案内する（図１に示す矢印３２参照）。細長の案内素子１３の貫通案内口（２０）内で案内される領域の横断面をU字形とすることで、その強度は高いものとなり、また、貫通案内口内での案内が容易になる。細長の案内素子１３における、第２把持部材１２とは反対側の終端部には、少なくとも１個の、貫通案内口２０の第2把持部材１２とは反対側の側面部分２８のストッパとして構成した張り出し部２９を設ける。この張り出し部２９は、細長の案内素子１３から長手方向軸線Lに対し側方に突出させ、細長の案内素子１３が貫通案内口２０から完全に抜け出て、第１把持部材１１が細長の案内素子１３から外れるのを防ぐ構成とする。さらに、貫通案内口２０には、細長の案内素子１３導き入れる素子として構成した導入素子２１、２２を設ける。これら導入素子２１、２２の案内面により案内チャンネルを画定し、細長の案内素子１３をよりよく案内することができる。導入素子２１、２２を設けた貫通案内口２０は、細長の案内素子１３とともに、細長の案内素子１３の長手方向軸線Lおよび第１把持部材１１の長手方向軸線Sが画定する平面上で、貫通案内口２０を有する第１把持部材１１を細長の案内素子１３の長手方向軸線に直交する位置に対して−１５゜〜＋１０゜の最大範囲内の角度αをなすよう回動可能にする。
【００１５】
第２把持部材１２には、貫通孔１５を有する凹部１４と、ねじ手段３０のための迫台とを設ける。さらに、第２把持部材１２には、凹部１４を取り囲み、サドル状に互いに直交する側面を有する第１〜第３の受け台１７，１８，１９を設ける。これら第１〜第３の受け台１７，１８，１９は、固定素子１０の組み付け状態で、格子の横桟５１および／もしくは縦桟５２を抱き込む。図示の実施例では、サドル状受け台１７，１８，１９の幅B１，B２，B３はそれぞれ異なる寸法にし、様々な目の格子体に容易に取り付けることができるようにする。このとき、第１受け台１７の幅B１を他の幅よりも大きく構成することにより、格子５０上での固定素子１０の可動性を保証し、正確な位置調整が可能となる。
【００１６】
第１把持部材には、第２把持部材１２に形成した貫通孔１５に対向する孔２５を設け、この孔２５に雌ねじ部２４を有するナット２３を配置し、このナットに対して、図２および図３に示すように、ねじ手段３０の雄ねじ部３１がねじ掛合することができるようにする。このとき、ナット２３は、適切な方法によって、第１把持部材１１に対して、形状ロック、またはクランプ力、または材料結合によって固定する。ねじ手段３０、もしくは対向孔２５および貫通孔１５は、締結軸線Aを画定し、ナットにねじをねじ込んで互いに引き寄せ合うとき、この締結軸線Ａに沿って双方の把持部材１１，１２を互いに締結する。このとき、締結軸線Aは、第２把持部材１２の細長の案内素子１３、および第１把持部材１１の貫通案内口２０から離れて位置する。
【００１７】
第1把持部材１１は、補強のため、やはり、Ｕ字状の横断面にし、高い牽引力も吸収できるようにする。第1把持部材１１には、さらにその貫通案内口２０とは反対側の端部領域２７に、第２把持部材１２に指向する歯により構成した固持手段２６を設ける。このとき第１把持部材１１は脚状の長手方向軸線Sの方向に、第２把持部材１２よりも長く構成する。
【００１８】
第1把持部材１１の貫通案内口２０領域には、これより脚状の長手方向軸線Sおよび長手方向軸線Lに対して側方に突出する張り出し部１６を設ける。この張り出し部１６は固定素子１０を組み付けた際に、格子５０の桟の下面に対するストッパとして機能する。
【００１９】
本発明固定素子１０の組み立てに際しては、まず第１把持部材１１および細長の案内素子１３を、図示しない方法で格子５０の２本の横桟５１の間に通し、第１把持部材１１の端部領域２７の固持手段２６を支持体４０の下面に位置決めするように回し込む。ねじ手段３０は、第１把持部材１１および細長の案内素子１３を回し込み配置した後、締結軸線Aに沿って貫通孔１５から孔２５にいたるまで差し込む。
【００２０】
固定素子１０を格子５０と支持体４０に配置した後、ストッパとして機能する張り出し部１６を、格子５０の縦桟５２の第２把持部材１２が位置する側とは反対側の面に当接させる。さらに、張り出し部１６を、前記３受け台１９の射影関係になるようにすることで、必ず格子５０の桟の１つに当接させることができる。
【００２１】
貫通孔１５に通して案内したねじ手段３０の雄ねじ部３１を、ナット２３の雌ねじ部２４にねじ込むことで固定素子１０を固定し、これにより、第１把持部材１１は、その端部領域２７に設けた固持手段２６が支持体４０の下面に噛合するまで、細長の案内素子１３に沿って第２把持部材の方向に移動する。これにより、双方の把持部材１１、１２締め付け合い、格子５０もしくは格子体が、支持体４０に固定される（図３参照）。この組み付け状態では、第２把持部材１２は、そのサドル状の第１〜３の受け台１７、１８、１９により、格子５０の横桟５１および縦桟５２上に載置する。
【図面の簡単な説明】
【００２２】
【図１】本発明格子固定素子の斜視図である。
【図２】本発明格子固定素子の違う角度からの斜視図である。
【図３】格子体および支持体を固定した状態を示す本発明固定素子の一部断面とする側面図である。
【符号の説明】
【００２３】
１０  固定素子
１１  第１把持部材
１２  第２把持部材
１３  案内素子
１４  凹部
１５  貫通孔
１６  張り出し部
１７  第１受け台
１８  第２受け台
１９  第３受け台
２０  貫通案内口
２１、２２  導入素子
２３  ナット
２４  雌ねじ部
２５  孔
２６  固持手段
２７  端部領域
２８  側面部分
２９  張り出し部
３０  ねじ手段
３１  雄ねじ部
３２  矢印
４０  支持体
５０  格子
５１  横桟
５２  縦桟
【図１】
0005296321.tif 000002
【図２】
0005296321.tif 000003
【図３】
0005296321.tif 000004